(57)【要約】【課題】  海中で使用されるステンレスチェーンの防食を簡易な構成で行うチェーンガードを提供することにある。【解決手段】  チェーンガード１は、略Ｃ字状のステンレス製の本体部２１と、本体部２１の切欠き部２１ａに配置されるアルミニウム製の円筒状のストッパ２３とを備える。本体部２１は、略半円形状の湾曲部２５，２５同士が直線状部２７，２８にて連設されてなり、一方の直線状部２７の軸方向中央部に切欠き部２１ａが形成されてなる。一方の直線状部２７は、切欠き部２１ａを挟んだ両側に軸方向に沿って貫通穴３５，３７が形成されており、各貫通穴３５，３７の先端部３５ａ，３７ａはネジ穴とされている。チェーン体２の端部のリンク４を、本体部２１の切欠き部２１ａから湾曲部２５，２５へ引っ掛けた状態で、本体部２１の切欠き部２１ａにストッパ２３がはめ込まれ、ネジ４５が貫通穴３５，３７からねじ込まれて、ストッパ２３が本体部２１に固定される。【選択図】  図２
2015152122.tif 000002
【特許請求の範囲】
【請求項１】
ステンレスチェーンの防食を図るチェーンガードであって、
一部に切欠き部が形成された略環状のステンレス製の本体部と、
ステンレスよりもイオン化傾向の大きい素材により形成され、接続しようとする各ステンレスチェーンの端部のリンクを前記切欠き部から前記本体部に引っ掛けた状態で、前記本体部の前記切欠き部を塞ぐように設けられる筒状のストッパとを備え、
前記本体部には、前記切欠き部を挟んだ少なくとも一方に、ネジ穴が形成されており、
前記本体部の前記ネジ穴から前記ストッパの内穴にネジが通されて、前記本体部に前記ストッパが取り付けられる
ことを特徴とするチェーンガード。
【請求項２】
前記本体部は、略半円形状の湾曲部同士が直線状部にて連設されてなる略長円形状とされ、一方の直線状部に、前記切欠き部が形成されると共に、この切欠き部を挟んだ両側に、前記直線状部の軸線方向に沿って前記ネジ穴が形成されており、
前記本体部の前記ネジ穴から前記ストッパの内穴にそれぞれネジが通されて、前記本体部に前記ストッパが取り付けられ、
前記本体部にねじ込まれる２つのネジは、同形状とされ、前記ストッパの内穴内において、その先端部同士が当接して設けられる
ことを特徴とする請求項１に記載のチェーンガード。
【請求項３】
ステンレスチェーンの防食を図るチェーンガードであって、
一部に切欠き部が形成された略環状のステンレス製の本体部と、
ステンレスよりもイオン化傾向の大きい素材により形成され、接続しようとする各ステンレスチェーンの端部のリンクを前記切欠き部から前記本体部に引っ掛けた状態で、前記本体部の前記切欠き部を塞ぐように設けられる筒状のストッパとを備え、
前記ストッパの内穴はネジ穴とされており、
前記本体部には、切欠き部を挟んだ少なくとも一方側に、ネジ穴が形成されており、
前記本体部の前記ネジ穴から前記ストッパの前記ネジ穴にネジがねじ込まれて、前記本体部に前記ストッパが取り付けられる
ことを特徴とするチェーンガード。
【請求項４】
前記本体部は、略半円形状の湾曲部同士が直線状部にて連設されてなる略長円形状とされ、一方の直線状部に、前記切欠き部が形成されると共に、この切欠き部を挟んだ両側に、前記直線状部の軸線方向に沿って前記ネジ穴が形成されており、
前記本体部の一方のネジ穴から前記ストッパの前記ネジ穴に第一ネジがねじ込まれ、
前記本体部の他方のネジ穴から第二ネジがねじ込まれ、
前記第二ネジの先端部に形成された凸部が、前記第一ネジの先端部と当接する
ことを特徴とする請求項３に記載のチェーンガード。
【請求項５】
海中で定置網の錘として使用される沈子用ステンレスチェーンの防食を図るチェーンガードであって、
前記本体部は、略半円形状の湾曲部同士が直線状部にて連設されてなる略長円形状とされ、一方の直線状部の軸方向中央部に、前記切欠き部が形成されると共に、この切欠き部を挟んだ両側に、前記直線状部の軸線方向に沿って前記ネジ穴が形成されており、
前記各ネジの基端部は、前記本体部の外周面より内側に配置される
ことを特徴とする請求項１から請求項４までのいずれかに記載のチェーンガード。
【請求項６】
請求項１から請求項５までのいずれかに記載のチェーンガードにより互いに連結されたステンレスチェーン。 
【発明の詳細な説明】
【技術分野】
【０００１】
本発明は、ステンレスチェーンの防食を図るチェーンガードに関するものである。
【背景技術】
【０００２】
従来、海において魚を取る際に、定置網が使用されることがあるが、定置網には、錘が取り付けられる。この錘には、たとえば、鉛の錘が使用されることがあるが、海水中で腐食しやすいという問題点がある。そこで、ステンレスのチェーンを錘として使用されることがある。
【発明の概要】
【発明が解決しようとする課題】
【０００３】
しかしながら、ステンレスチェーンを使用しても、海中の藻やフジツボ等が付着して腐食することがある。そこで、ステンレスチェーンに、アルミ板を巻きつけたり、アルミ材を組み付けた防食用金具を取り付けたりして、電位差を利用して電気防食を行うことがある。
【０００４】
ところが、アルミ板をチェーンに巻きつける場合、専用工具が必要であり、さらに手作業で巻きつけるため、労力を要する。また、防食用金具をチェーンに取り付ける場合、定置網を構成する糸が金具に引っ掛かり、糸が切れて網が破損するおそれがあった。
【０００５】
本発明が解決しようとする課題は、海中で使用されるステンレスチェーンの防食を簡易な構成で行うチェーンガードを提供することにある。また、好ましくはさらに、網を破損することがないチェーンガードを提供することを課題とする。
【課題を解決するための手段】
【０００６】
本発明は、前記課題を解決するためになされたもので、請求項１に記載の発明は、ステンレスチェーンの防食を図るチェーンガードであって、一部に切欠き部が形成された略環状のステンレス製の本体部と、ステンレスよりもイオン化傾向の大きい素材により形成され、接続しようとする各ステンレスチェーンの端部のリンクを前記切欠き部から前記本体部に引っ掛けた状態で、前記本体部の前記切欠き部を塞ぐように設けられる筒状のストッパとを備え、前記本体部には、前記切欠き部を挟んだ少なくとも一方に、ネジ穴が形成されており、前記本体部の前記ネジ穴から前記ストッパの内穴にネジが通されて、前記本体部に前記ストッパが取り付けられることを特徴とするチェーンガードである。
【０００７】
請求項２に記載の発明は、前記本体部は、略半円形状の湾曲部同士が直線状部にて連設されてなる略長円形状とされ、一方の直線状部に、前記切欠き部が形成されると共に、この切欠き部を挟んだ両側に、前記直線状部の軸線方向に沿って前記ネジ穴が形成されており、前記本体部の前記ネジ穴から前記ストッパの内穴にそれぞれネジが通されて、前記本体部に前記ストッパが取り付けられ、前記本体部にねじ込まれる２つのネジは、同形状とされ、前記ストッパの内穴内において、その先端部同士が当接して設けられることを特徴とする請求項１に記載のチェーンガードである。
【０００８】
請求項３に記載の発明は、ステンレスチェーンの防食を図るチェーンガードであって、一部に切欠き部が形成された略環状のステンレス製の本体部と、ステンレスよりもイオン化傾向の大きい素材により形成され、接続しようとする各ステンレスチェーンの端部のリンクを前記切欠き部から前記本体部に引っ掛けた状態で、前記本体部の前記切欠き部を塞ぐように設けられる筒状のストッパとを備え、前記ストッパの内穴はネジ穴とされており、前記本体部には、切欠き部を挟んだ少なくとも一方側に、ネジ穴が形成されており、前記本体部の前記ネジ穴から前記ストッパの前記ネジ穴にネジがねじ込まれて、前記本体部に前記ストッパが取り付けられることを特徴とするチェーンガードである。
【０００９】
請求項４に記載の発明は、前記本体部は、略半円形状の湾曲部同士が直線状部にて連設されてなる略長円形状とされ、一方の直線状部に、前記切欠き部が形成されると共に、この切欠き部を挟んだ両側に、前記直線状部の軸線方向に沿って前記ネジ穴が形成されており、前記本体部の一方のネジ穴から前記ストッパの前記ネジ穴に第一ネジがねじ込まれ、前記本体部の他方のネジ穴から第二ネジがねじ込まれ、前記第二ネジの先端部に形成された凸部が、前記第一ネジの先端部と当接することを特徴とする請求項３に記載のチェーンガードである。
【００１０】
請求項５に記載の発明は、海中で定置網の錘として使用される沈子用ステンレスチェーンの防食を図るチェーンガードであって、前記本体部は、略半円形状の湾曲部同士が直線状部にて連設されてなる略長円形状とされ、一方の直線状部の軸方向中央部に、前記切欠き部が形成されると共に、この切欠き部を挟んだ両側に、前記直線状部の軸線方向に沿って前記ネジ穴が形成されており、前記各ネジの基端部は、前記本体部の外周面より内側に配置されることを特徴とする請求項１から請求項４までのいずれかに記載のチェーンガードである。
【００１１】
さらに、請求項６に記載の発明は、請求項１から請求項５までのいずれかに記載のチェーンガードにより互いに連結されたステンレスチェーンである。
【発明の効果】
【００１２】
本発明のチェーンガードによれば、海中で使用されるステンレスチェーンの防食を簡易な構成で行うことができる。また、網の破損を防止することもできる。
【図面の簡単な説明】
【００１３】
【図１】本発明の実施例１のチェーンガードでチェーン体同士を接続して構成されるステンレスチェーンを示す図である。
【図２】本発明の実施例１のチェーンガードでチェーン体同士を接続する状態を示す分解斜視図である。
【図３】図１のチェーンガードを示す図であり、（ａ）は正面から見た断面図、（ｂ）は平面から見た図である。
【図４】図１のステンレスチェーンの使用状態を示す概略図である。
【図５】本発明の実施例２のチェーンガードでチェーン体同士を接続する状態を示す分解斜視図である。
【図６】図５のチェーンガードを示す図であり、（ａ）は正面から見た断面図、（ｂ）は平面から見た図である。
【発明を実施するための形態】
【００１４】
以下、本発明のチェーンガードの実施例を図面に基づいて具体的に説明する。
【実施例１】
【００１５】
図１は、本発明のチェーンガードの実施例１を示す図であり、チェーンガードでチェーン体同士を接続して構成されるステンレスチェーンを示す図である。図２は、図１のチェーンガードでチェーン体同士を接続する状態を示す分解斜視図である。図３は、図１のチェーンガードを示す図であり、（ａ）は正面から見た断面図、（ｂ）は平面から見た図である。
【００１６】
本実施例のチェーンガード１は、設定された長さのチェーン体２，２同士を互いに接続するジョイントであると共に、そのようにして構成されたチェーン３の防食を図るものである。チェーンガード１によって連結しようとする各チェーン体２は、典型的には同一長さとされるが、複数種類の長さのものでもよいし、任意の長さのものでもよい。
【００１７】
本実施例の各チェーン体２は、たとえばＳＵＳ３０４などのステンレス製である。各チェーン体２は、環状のリンク４，４同士が互いに連結されて構成される。
本実施例では、各リンク４は、同じ形状および同じ大きさに形成されており、連結するリンク数を変えることでチェーン体２の長さが変更される。本実施例のチェーンガード１は、基本的には同数のリンク４が連結されたチェーン体２，２同士を連結するのに用いられる。各リンク４は、上述したとおり同一の形状および大きさとされ、図２に示すように、略半円形状の湾曲部４ａ，４ａ同士が直線状部４ｂ，４ｂにて連設されてなる略長円形状である。
【００１８】
本実施例のチェーンガード１は、環状体の一部に切欠き部２１ａが形成された略Ｃ字状のステンレス製の本体部２１と、本体部２１の切欠き部２１ａに配置されるアルミニウム製のストッパ２３とを主要部に備える。
【００１９】
本体部２１は、ステンレスにより形成され、図示例では、一部に切欠き部２１ａが形成された略長円形状とされている。具体的には、略半円形状の湾曲部２５，２５同士が直線状部２７，２８にて連設されてなり、一方の直線状部２７の軸方向中央部が切除された形状である。図示例では、前記湾曲部２５および前記直線状部２７，２８の各断面は円形状に形成されている。
【００２０】
本体部２１の一方の直線状部２７は、切欠き部２１ａにより第一直線状部２９と第二直線状部３１に分断されている。第一直線状部２９と第二直線状部３１には、それぞれ軸方向に沿って貫通穴３５，３７が形成されており、各貫通穴３５，３７の先端部３５ａ，３７ａはネジ穴とされている。
つまり、本体部２１の直線状の開放両端部２９，３１には、その軸方向に沿って貫通穴３５，３７が形成されており、その先端部がネジ穴３５ａ，３７ａとされている。
【００２１】
本体部２１の内穴の長手寸法は、チェーン体２の各リンク４の内穴の長手寸法と対応している。また、本体部２１の湾曲部２５や直線状部２７，２８の直径は、チェーン体２のリンク４を構成する線材の直径とほぼ同じとされている。このように、本体部２１は、接続しようとするチェーン体２の各リンク４と近似した形状とされる。
【００２２】
ストッパ２３は、棒状とされる。本実施例では、ストッパ２３は、丸棒状とされ、アルミニウムにより形成されており、犠牲陽極とされる。
ストッパ２３の軸寸法は、本体部２１の切欠き部２１ａの長さに対応しており、外径は、本体部２１の直線状部２７の直径とほぼ同じとされる。
【００２３】
ストッパ２３の径方向中央部には、軸方向に沿って貫通穴４１が形成されており、ストッパ２３は円筒状に形成されている。
【００２４】
本実施例のチェーンガード１を用いて、チェーン体２，２同士を接続する場合、接続しようとする各チェーン体２の端部のリンク４を、本体部２１の切欠き部２１ａから左右の湾曲部２５，２５へ引っ掛ける。
そして、本体部２１の切欠き部２１ａにストッパ２３をはめ込んで切欠き部２１ａを塞いだ状態で、ネジ４５によりストッパ２３を本体部２１に固定すればよい。
【００２５】
本実施例では、同じ形状の２つのネジ４５，４５によりストッパ２３が本体部２１に固定される。各ネジ４５は、ステンレス製とされ、その基端面の中央部に六角形状の穴４５ａが形成された六角穴付き止めネジとされる。
【００２６】
各ネジ４５は、それぞれ本体部２１の貫通穴３５，３７からねじ込まれて、ストッパ２３の内穴４１に差し込まれる。各ネジ４５は、ストッパ２３の軸方向中央部において、その先端部同士が当接して配置される。これにより、緩み止め効果が得られる。
【００２７】
本体部２１に設けられた各ネジ４５の頭部（基端部）は、貫通穴３５，３７に配置される。つまり、ネジ４５の頭部は、本体部２１の外周面より内側に配置され、本体部２１の外周面から出っ張ることがない。
【００２８】
図４は、本実施例１のチェーンガードによりチェーン体が連結されてなるステンレスチェーンの使用状態を示す概略図である。
【００２９】
本実施例のチェーンガード１によりチェーン体２，２が連結されて構成されるステンレスチェーン３は、その用途を特に問わないが、定置網５１の錘として使用される沈子用チェーンとして好適に使用される。
【００３０】
定置網５１の下辺には、図４に示すように、第一ロープ（ＰＰロープ）５３が通っている。定置網５１にステンレスチェーン３を接続する場合、第一ロープ５３とステンレスチェーン３との間に、交互に第二ロープ（ゲンゲロープ）５５を掛け回すことで、定置網５１にステンレスチェーン３が接続される。図示例では、ステンレスチェーン３には、一つおきのリンク４に第二ロープ５５が通されている。なお、第二ロープ５５は、チェーンガード１に通されてもよく、ステンレスチェーン３への第二ロープ５５の掛け回し方や通す位置は、適宜変更可能である。
【００３１】
定置網５１には各種の大きさのものがあるが、本実施例のチェーンガード１によりチェーン体２，２同士を接続することで、所望長さのステンレスチェーン３を簡易で迅速に得られる。また、チェーンガード１により所望長さに形成されたステンレスチェーン３の両端部には、丸環５９を設けることができる。この丸環５９は、網と網をつなぐロープを結ぶのに利用されるが、所望により省略してもよい。
【００３２】
本実施例では、ジョイント部としてのチェーンガード１に犠牲陽極としてストッパ２３を設けたことで、海中でステンレスチェーン３を使用しても腐食が防止される。
つまり、アルミニウム製のストッパ２３により、ステンレス製のチェーン３の腐食が防止される。
【００３３】
また、定置網５１の沈子としてチェーン３を用いることで、海底の地形変化にも、リンク４，４間の動きで柔軟に対応することができる。
また、沈子用チェーン３の場合、寝かされた状態で配置されるので、隣接する各リンク４，４が自重により互いに接触した状態となり、ステンレスチェーン全体の防食が確実に図られる。
【００３４】
さらに、本実施例では、本体部２１にストッパ２３を固定するネジ４５が、本体部２１の穴３５，３７内に配置され、本体部２１から出っ張らないことで、定置網５１の糸が引っかかることがない。
【実施例２】
【００３５】
図５は、本発明の実施例２のチェーンガードでチェーン体同士を接続する状態を示す分解斜視図である。
図６は、本発明の実施例２のチェーンガードを示す図であり、（ａ）は正面から見た断面図、（ｂ）は平面から見た図である
【００３６】
次に、本発明のチェーンガードの実施例２について説明する。
本実施例２のチェーンガード１は、基本的には上記実施例１のチェーンガードと同様である。そのため、以下では、両者の異なる部分を中心に説明し、対応する箇所には同じ符号を付して説明する。
【００３７】
本実施例２では、ストッパ２３は、丸棒状とされると共に、その径方向中央部に、軸方向に沿って貫通穴７１が形成されており、この貫通穴７１は、ネジ穴とされている。
ストッパ２３の貫通穴７１は、その両端部の内周面が面取りされている。具体的には、貫通穴７１の両端部７１ａ，７１ａは、それぞれ軸方向外側へ行くにしたがって拡径するように形成されている。
【００３８】
本実施例２では、本体部２１にストッパ２３を固定する２つのネジ７５，７７は、長さが異なっている。具体的には、一方のネジ（第一ネジ）７５は、その基端面中央部に六角穴７５ａが形成された六角穴付き止めネジとされる。また、他方のネジ（第二ネジ）７７は、その基端面中央部に、六角穴７７ａが形成された六角穴付き止めネジとされる。そして、第二ネジ７７の先端部には、先端側へ行くにしたがって縮径し、さらに先端側へ円柱状に突出して凸部７９が形成されている。第二ネジ７７は、第一ネジ７５より軸寸法が短く形成されている。
【００３９】
本実施例２において、本体部２１にストッパ２３を固定する場合、本体部２１の切欠き部２１ａにストッパ２３を配置して、切欠き部２１ａを塞いだ状態で、本体部２１の一方の穴３７から、第一ネジ７５がストッパ２３のネジ穴７１にねじ込まれる。
ストッパ２３の一端部側からねじ込まれる第一ネジ７５は、その先端部が、ストッパ２３の軸方向中央部より他端部側（図６において左側）へ配置される位置までねじ込まれる。そして、本体部２１の他方の穴３５から、第二ネジ７７がねじ込まれ、第二ネジ７７の凸部７９は、第一ネジ７５の先端部に当接する。これにより、緩み止めの効果が得られる。本実施例２では、第二ネジ７７は、ストッパ２３のネジ穴７１にはねじ込まれず、ストッパ２３のネジ穴７１内に凸部７９が差し込まれる。
【００４０】
本実施例２では、ストッパ２３の軸方向中央部は、径方向両端部が平坦面８３，８３に形成されている。この平坦面８３，８３は、第一ネジ７５によりストッパ２３を固定する際に、ストッパ２３を工具で挟み込むのに用いられる。
【００４１】
本実施例２では、上記実施例１と同様、ストッパ２３を本体部２１に固定するネジ７５，７７が、本体部２１から出っ張ることがなく、網の糸が引っかかることがない。
【００４２】
本発明のチェーンガードは、上記実施例の構成に限らず、適宜変更可能である。
上記実施例では、犠牲陽極として、純アルミ製のストッパを用いたが、アルミ合金製のストッパとしてもよく、ストッパは、防食対象のステンレスよりもイオン化傾向の大きい素材であれば、その他の素材も使用可能である。たとえば、亜鉛製のストッパを用いてもよい。
【００４３】
また、上記実施例１では、２本のネジを用いたが、ネジを長く形成して、１本のネジにより本体部２１にストッパ２３を取り付ける構成としてもよい。さらに、上記実施例では、定置網にステンレスチェーン３を使用したが、他の網に使用してもよい。
【符号の説明】
【００４４】
１  チェーンガード
２  チェーン体（ステンレスチェーン）
３  ステンレスチェーン
４  チェーンリンク
２１  本体部
２１ａ  切欠き部
２３  ストッパ
４５  ネジ
７５  ネジ
７７  ネジ
７９  凸部
【図１】
2015152122.tif 000003
【図２】
2015152122.tif 000004
【図３】
2015152122.tif 000005
【図４】
2015152122.tif 000006
【図５】
2015152122.tif 000007
【図６】
2015152122.tif 000008